(57)【要約】【課題】効率的な番組サーチを実現可能なデジタル放送受信装置を提供する。【解決手段】デジタル放送受信装置１は、番組案内情報を含むデジタル放送を、チューナ４の受信周波数を変えながら受信する番組サーチ機能を有する。番組案内情報については、リモコン１２などから入力する条件を検索条件として選別し、ジャンルやサービスの種類を絞ってスピーカ９やディスプレイ１１で一時的に提示し、視聴者がその番組を選択すれば受信を継続する。試聴の結果、さらに番組サーチを継続させることもできる。【選択図】　　　図１
2004135169.tif 000002
【特許請求の範囲】
【請求項１】
番組とともに、当該番組の内容を案内する番組案内情報が放送されるデジタル放送を受信する装置であって、
放送中のデジタル放送を受信する放送受信手段と、
放送受信手段が受信する番組案内情報に基づいて、該番組案内情報によって案内される番組が予め設定される検索条件に適合するか否かを判断する条件判断手段と、
条件判断手段によって番組が検索条件に適合すると判断されるデジタル放送の受信を続け、番組が検索条件に適合すると判断されないデジタル放送は受信を停止し、異なるデジタル放送を受信するように受信手段を制御して、番組の検索を行う番組検索手段とを含むことを特徴とするデジタル放送受信装置。
【請求項２】
条件を入力する操作を受ける条件入力手段と、
条件入力手段に入力される条件を前記条件判断手段が判断する検索条件として設定する条件設定手段とをさらに含むことを特徴とする請求項１記載のデジタル放送受信装置。
【請求項３】
前記条件入力手段は、予め用意されている複数の条件のリストから条件を選択する入力を受けることが可能であり、
前記条件設定手段は、条件入力手段が操作を受けて選択される条件を、前記条件判断手段が判断する検索条件として設定することを特徴とする請求項２記載のデジタル放送受信装置。
【請求項４】
前記条件入力手段には、複数の条件の入力が可能であり、かつこれら条件の論理演算を指定することが可能であり、
前記条件設定手段は、条件入力手段で入力される条件に、演算が指定されれば、該演算を施して、前記条件判断手段が判断する検索条件として設定することを特徴とする請求項２または３記載のデジタル放送受信装置。
【請求項５】
前記条件として、前記番組のジャンルを指定可能であることを特徴とする請求項１〜４のいずれかに記載のデジタル放送受信装置。
【請求項６】
前記デジタル放送は、映像、音声、データおよび臨時をサービスの種類に含み、
前記条件として、該サービスの種類を指定可能であることを特徴とする請求項１〜５のいずれかに記載のデジタル放送受信装置。
【請求項７】
前記デジタル放送は、映像、音声、データおよび臨時をサービスの種類に含み、
前記番組検索手段は、サービスの種類毎に、前記番組の検索を行うことを特徴とする請求項１〜５のいずれかに記載のデジタル放送受信装置。
【請求項８】
前記条件入力手段には、番組名、出演者名または番組詳細情報の少なくともいずれかについてのキーワードを入力可能であり、
前記条件設定手段は、条件入力手段に入力されるキーワードを含む番組を受信するように前記検索条件を設定することを特徴とする請求項１〜７のいずれかに記載のデジタル放送受信装置。
【請求項９】
前記番組検索手段が番組の検索を実行中に、番組の試聴の要求を入力可能な要求入力手段と、
要求入力手段に番組の試聴の要求が入力されるとき、番組検索手段を制御して番組の検索を停止し、前記放送受信手段を制御して番組の試聴用の受信を行う制御手段とをさらに含むことを特徴とする請求項１〜８のいずれかに記載のデジタル放送受信装置。
【請求項１０】
前記要求入力手段は、前記試聴を中止して前記番組の検索を再開する要求を入力可能であり、
前記制御手段は、要求入力手段に番組の検索を再開する要求が入力されるとき、前記番組検索手段を制御して、前記番組の検索を停止した状態から、番組の検索を再開させることを特徴とする請求項９記載のデジタル放送受信装置。
【請求項１１】
前記条件設定手段によって設定される検索条件を保存する条件保存手段をさらに含むことを特徴とする請求項１〜１０のいずれかに記載のデジタル放送受信装置。
【請求項１２】
前記条件判断手段は、前記条件保存手段に保存される検索条件に従って、前記番組の判断を行うことを特徴とする請求項１１記載のデジタル放送受信装置。
【発明の詳細な説明】
【０００１】
【発明の属する技術分野】
本発明は、デジタル放送受信装置に関する。
【０００２】
【従来の技術】
テレビジョン（ＴＶ）放送やラジオ放送などのデジタル化が２００３年から順次開始される。従来から、静止軌道の人工衛星を利用する衛星系のデジタル放送として、放送衛星からのＢＳ（Ｂｒｏａｄｃａｓｔｉｎｇ　Ｓａｔｅｌｌｉｔｅ）デジタル放送や、通信衛星からのＣＳ（Ｃｏｍｍｕｎｉｃａｔｉｏｎ　Ｓａｔｅｌｌｉｔｅ　）デジタル放送なども行われている。これらの放送のデジタル化に伴う多チャンネル化によって、視聴者はさまざまな放送を視聴することができるようになるけれども、それに伴って試聴したい情報（番組）の選別が困難になってくる。
【０００３】
デジタル放送には、ＥＰＧ（Ｅｌｅｃｔｒｏｎｉｃ　Ｐｒｏｇｒａｍ　Ｇｕｉｄｅ）機能が存在し、視聴者が放送される番組を選別する便宜を図っている。すなわち、ＥＰＧは、番組を選択するという行為を補助するために放送局から提供するサービスであり、視聴者は、これまで新聞や雑誌を参照して行っていた試聴・録画などの対象となる番組の選択をテレビジョンの画面上で行うことが可能になる。
【０００４】
デジタル放送については、社団法人電波産業界（ＡＲＩＢ）で規格化の作業が進められ、ＭＰＥＧ（Ｍｏｖｉｎｇ　Ｐｉｃｔｕｒｅ　Ｅｘｐｅｒｔｓ　Ｇｒｏｕｐ）によって国際的に策定されているカラー動画像圧縮技術のうち、ＭＰＥＧ２と呼ばれるＩＳＯ（国際標準化機構）１３８１８の技術が採用されている（たとえば、非特許文献１）。ＭＰＥＧ２では、符号化された映像や音声をパケット化し、伝送に適した固定長のＴＳ（Ｔｒａｎｓｐｏｒｔ　Ｓｔｒｅａｍ）信号の形式で送信する。
【０００５】
ＥＰＧ機能は、ＭＰＥＧ−ＴＳ信号に含まれる番組配列情報ＳＩ（ＳｅｒｖｉｃｅＩｎｆｏｒｍａｔｉｏｎ　）によって伝送されるテキスト情報に基づいて実現される。テキスト情報ＥＰＧには、番組表と番組案内情報とが含まれる。番組表には、開始時刻、継続時間、番組名、ジャンルなどが含まれる。番組案内情報には、出演者、作者、キーワードなどが含まれる。このようなテキスト情報ＥＰＧは、ＣＳデジタル放送などで、すでにサービスが提供されている。なお、ＥＰＧには、マルチメディア情報ＥＰＧと呼ばれ、ＭＰＥＧ−ＴＳ信号で放送されるデータを記述するのに用いるＢＭＬ（Ｂｒｏａｄｃａｓｔ　Ｍａｒｋｕｐ　Ｌａｎｇｕａｇｅ　）と呼ばれる文書記述言語に基づくものも規定されている。
【０００６】
欧州などで実際に放送が行われているＤＡＢ（Ｄｉｇｉｔａｌ　Ａｕｄｉｏ　Ｂｒｏａｄｃａｓｔｉｎｇ）などのデジタル放送では、信号がフレーム単位で提供され、送信フレームは３つのチャンネルで構成されている。このうち、ＦＩＣ（Ｆａｓｔ　Ｉｎｆｏｒｍａｔｉｏｎ　Ｃｈａｎｎｅｌ）と呼ばれる高速情報チャンネルには、多重構成情報やサービスの分類などの情報が含まれている。この情報には代替放送についての情報も含まれ、複数のデジタル放送からのサービスの内容を、順次確認していくオートスキャンの機能を、デジタル放送を受信して得られる代替放送についての情報から代替放送を受信してサービス内容を確認することによって実現する技術も提案されている（たとえば特許文献１参照）。
【０００７】
【特許文献１】
特開２０００−１２４８２３号公報
【非特許文献１】
山田宰編、「ディジタル放送の技術とサービス」、初版、株式会社コロナ社、２００１年９月７日、ｐ．３６−１６６，２６５−２８０，表８．１
【０００８】
【発明が解決しようとする課題】
デジタル放送に設けられているＥＰＧ機能では、一覧表示で前述の番組表や番組案内情報などの番組情報が提供される。しかし、一覧表示になっているＥＰＧ画面では、表示可能な番組情報が限られており、視聴者が瞬時に詳しい情報を得ることはできない。また詳細情報を得るための画面操作では、釦操作を頻繁に行わなければならず、操作が煩雑になってしまう。特に、車載デジタル放送受信装置では、表示画面が小さくなるという事情もあり、ＥＰＧ画面の操作は試聴したい番組を探す手段として、効果的ではない。
【０００９】
従来のアナログＴＶ放送やアナログラジオ放送では、受信可能な番組内容（映像もしくは音声）を自動的に一定時間ずつ視聴者に提示することで、視聴者が試聴したい番組を探すチャンネルサーチ機能が存在する。デジタル放送受信装置でもこの手法は効果的である。前述のように、受信可能な番組内容を、代替放送を受信して提示する先行技術も提案されている。しかしながら、デジタル放送では、１つの放送局からも映像、音声、データが多重化されて提供され、提供されるサービスの種類が多いので、順次サービスの内容を確認するために試聴していくと、試聴を希望する番組に到達するまでに時間がかかってしまう可能性もある。
【００１０】
本発明の目的は、効率的な番組サーチを実現可能なデジタル放送受信装置を提供することである。
【００１１】
【課題を解決するための手段】
本発明は、番組とともに、当該番組の内容を案内する番組案内情報が放送されるデジタル放送を受信する装置であって、
放送中のデジタル放送を受信する放送受信手段と、
放送受信手段が受信する番組案内情報に基づいて、該番組案内情報によって案内される番組が予め設定される検索条件に適合するか否かを判断する条件判断手段と、
条件判断手段によって番組が検索条件に適合すると判断されるデジタル放送の受信を続け、番組が検索条件に適合すると判断されないデジタル放送は受信を停止し、異なるデジタル放送を受信するように受信手段を制御して、番組の検索を行う番組検索手段とを含むことを特徴とするデジタル放送受信装置である。
【００１２】
本発明に従えば、番組とともに、当該番組の内容を案内する番組案内情報が放送されるデジタル放送を受信するデジタル放送受信装置は、放送受信手段と、条件判断手段と、番組検索手段とを含む。放送受信手段が放送中のデジタル放送を受信すると、条件判断手段は、放送受信手段が受信する番組案内情報に基づいて、該番組案内情報によって案内される番組が予め設定される検索条件に適合するか否かを判断する。番組検索手段は、条件判断手段によって番組が検索条件に適合すると判断されるデジタル放送の受信を続け、番組が検索条件に適合すると判断されないデジタル放送は受信を停止し、異なるデジタル放送を受信するように受信手段を制御して、番組の検索を行うので、放送されている番組の全部ではなく、予め設定されている検索条件に適合する番組のみ受信するように、受信する番組を絞ることができ、効率的な番組サーチを実現することができる。
【００１３】
また本発明は、条件を入力する操作を受ける条件入力手段と、
条件入力手段に入力される条件を前記条件判断手段が判断する検索条件として設定する条件設定手段とをさらに含むことを特徴とする。
【００１４】
本発明に従えば、条件判断手段が判断する検索条件を、条件入力手段に視聴者が入力することができ、視聴者が条件を入力すれば、条件設定手段によって検索条件として設定されるので、視聴者は自由に番組サーチ機能のための検索条件を入力することができ、試聴したい番組を迅速に検索することができる。
【００１５】
また本発明で、前記条件入力手段は、予め用意されている複数の条件のリストから条件を選択する入力を受けることが可能であり、
前記条件設定手段は、条件入力手段が操作を受けて選択される条件を、前記条件判断手段が判断する検索条件として設定することを特徴とする。
【００１６】
本発明に従えば、視聴者は、条件入力手段に入力する条件を、予め用意されている複数の条件のリストから選択することが可能となるので、視聴者による条件の入力操作を簡単にすることができる。
【００１７】
また本発明で、前記条件入力手段には、複数の条件の入力が可能であり、かつこれら条件の論理演算、たとえば入力される条件を否定するＮＯＴ、入力される複数の条件のうちの少なくとも１つに該当すればよいことを示すＯＲ、または入力される複数の複数の条件の全部に該当することを要するＡＮＤのうちの少なくとも１つ、あるいはその組合せの演算を指定することが可能であり、
前記条件設定手段は、条件入力手段で入力される条件に、演算が指定されれば、該演算を施して、前記条件判断手段が判断する検索条件として設定することを特徴とする。
【００１８】
本発明に従えば、条件設定手段は、条件判断手段が判断する検索条件を、視聴者が条件入力手段に入力する条件の否定ＮＯＴや、複数の条件についてのＯＲやＡＮＤなど、少なくとも１つの演算が指定されると、指定された演算を含む検索条件を設定するので、視聴者の希望する条件での番組の検索を効率的に行うことができる。
【００１９】
また本発明は、前記条件として、前記番組のジャンルを指定可能であることを特徴とする。
【００２０】
本発明に従えば、番組のジャンルを条件として指定可能であるので、ジャンルについての検索条件を設定し、ジャンルについての視聴者の要望に沿って番組の検索を行うことができる。
【００２１】
また本発明で、前記デジタル放送は、映像、音声、データおよび臨時をサービスの種類に含み、
前記条件として、該サービスの種類を指定可能であることを特徴とする。
【００２２】
本発明に従えば、デジタル放送に含まれる映像、音声、データおよび臨時のサービスの種類を条件として指定可能であるので、サービスの種類についての検索条件を設定し、サービスの種類についての視聴者の要望に沿って番組の検索を行うことができる。
【００２３】
また本発明で、前記デジタル放送は、映像、音声、データおよび臨時をサービスの種類に含み、
前記番組検索手段は、サービスの種類毎に、前記番組の検索を行うことを特徴とする。
【００２４】
本発明に従えば、デジタル放送に含まれる映像、音声、データおよび臨時のサービスの種類毎に、設定条件に基づく番組の検索が行われるので、複数のサービスで提供される番組が設定条件に適合していれば、同一種類のサービス間で比較しながら番組の選択を行うことができる。
【００２５】
また本発明で、前記条件入力手段には、番組名、出演者名または番組詳細情報の少なくともいずれかについてのキーワードを入力可能であり、
前記条件設定手段は、条件入力手段に入力されるキーワードを含む番組を受信するように前記検索条件を設定することを特徴とする。
【００２６】
本発明に従えば、条件入力手段には、番組名、出演者名または番組詳細情報の少なくともいずれかについてのキーワードを入力可能であるので、視聴者は試聴したい番組を選択するためにキーワードを入力し、入力されたキーワードを番組名、出演者名または番組詳細情報の少なくともいずれかに含むような番組を検索することができる。
【００２７】
また本発明は、前記番組検索手段が番組の検索を実行中に、番組の試聴の要求を入力可能な要求入力手段と、
要求入力手段に番組の試聴の要求が入力されるとき、番組検索手段を制御して番組の検索を停止し、前記放送受信手段を制御して番組の試聴用の受信を行う制御手段とをさらに含むことを特徴とする。
【００２８】
本発明に従えば、番組検索手段によって番組の検索を実行中に、要求入力手段に番組の試聴を要求すれば、番組の検索を停止し、番組の試聴用の受信を行うように、制御手段が番組検索手段および放送受信手段を制御するので、番組検索の途中で、検索条件を満たす番組を実際に試聴してみることができる。
【００２９】
また本発明で、前記要求入力手段は、前記試聴を中止して前記番組の検索を再開する要求を入力可能であり、
前記制御手段は、要求入力手段に番組の検索を再開する要求が入力されるとき、前記番組検索手段を制御して、前記番組の検索を停止した状態から、番組の検索を再開させることを特徴とする。
【００３０】
本発明に従えば、番組検索の途中で番組の試聴を行っても、検索を停止した状態から検索を再開することができるので、試聴をした番組まで検索を繰返さないで、新たな番組について検索を進めることができる。
【００３１】
また本発明は、前記条件設定手段によって設定される検索条件を保存する条件保存手段をさらに含むことを特徴とする。
【００３２】
本発明に従えば、条件設定手段によって設定される検索条件は、条件保存手段に保存するので、保存された検索条件で番組検索をしたり、保存された検索条件を変更して番組検索をしたりすることができる。
【００３３】
また本発明で、前記条件判断手段は、前記条件保存手段に保存される検索条件に従って、前記番組の判断を行うことを特徴とする。
【００３４】
本発明に従えば、保存されている検索条件で番組の検索を行うことができるので、いったん検索条件を設定すれば、同一の検索条件で番組検索を行う場合、次回からは検索条件の設定なしに迅速に番組の検索を行わせることができる。
【００３５】
【発明の実施の形態】
図１は、本発明の実施の一形態であるデジタル放送受信装置１の概略的な電気的構成を示す。デジタル放送受信装置１は、アンテナ２でデジタル放送の電波を受けて高周波電気信号に変換し、その高周波電気信号を受信機３に入力して番組の内容を取出す処理を行う。受信機３には、チューナ４、復調５、ＴＳデコード６、音声デコード７、映像デコード８および提示処理９の各機能回路が含まれる。デジタル放送は、前述のようなＭＰＥＧ−ＴＳ信号で、多重化された情報がパケット化されてデジタルとして伝送される。チューナ４は、ＭＰＥＧ−ＴＳ信号を高周波信号の状態で増幅し、より低い周波数に変換する。復調５は、ＭＰＥＧ−ＴＳ信号をデジタル信号として復調する。ＴＳデコード６は、ＭＰＥＧ−ＴＳ信号に多重化されている情報を、サービスの種類に分ける。音声デコード７は、音声のデータを復号化し、音響出力に変換してスピーカ１０から再生する。映像デコード８は、映像のデータを復号化し、提示処理９で画像処理を施して、ディスプレイ１１で表示する。
【００３６】
ＭＰＥＧ−ＴＳ信号に含まれるＥＰＧ情報は、予め定める機能を備えるリモコン１２による視聴者の操作で番組選択が可能なように構成されている。受信機３に録画機能を備えていれば、リモコン１２を操作して録画予約も可能である。受信機３の制御は、システムバス２０を介して、ＣＰＵ２１によって行われる。ＣＰＵ２１は、ＲＯＭ２２に予め格納されているプログラムに従って動作し、ＲＡＭ２３をデータなどの一時的な記憶に使用しながら受信機３の制御を行う。ＣＰＵ２１は、リモコン１２に対して、入出力インタフェース（以下、「Ｉ／Ｏ」と略称する）２４を介して接続される。システムバス２０には、モデム２５も接続され、モデムを介して外部の公衆電話回線などと接続することもできる。
【００３７】
受信機３に録画機能を付加するためには、ハードディスク、フラッシュメモリなどの大容量記憶装置を設ければよい。ＶＴＲ（Ｖｉｄｅｏ　Ｔａｐｅ　Ｒｅｃｏｒｄｅｒ　）や書込可能型のＤＶＤ（Ｄｉｇｉｔａｌ　Ｖｅｒｓａｔｉｌｅ　Ｄｉｓｋ）などの光ディスク装置などを用いることもできる。また、車載用の場合、リモコン１２の代りに、タッチパネルを使用することも、ＥＰＧ情報を変換すれば可能になる。
【００３８】
図２は、図１のディスプレイ１１に表示される検索条件設定画面３０の例を示す。この検索条件設定画面３０では、条件３１として、ジャンル３２、サービス種類３３またはキーワード３４のうち、ジャンル３２をリモコン１２などで指定して入力している状態を示す。複数の条件を、演算指定３５に含まれる「ＡＮＤ」、「ＯＲ」、「（」および「）」を指定して結合することもできる。「ＮＯＴ」は、単独の条件に対しても指定することができる。ジャンル３２の指定は、ジャンルリスト３６から選択して行うことができる。サービスの種類３３についても、同様なリストが表示される。図では、音楽のジャンルとバラエティーのジャンルとがジャンルリスト３６から選択され、「ＡＮＤ」で結合されているので、音楽バラエティー番組を検索すべき条件が設定されていることになる。リモコン１２などでサービス開始３７を指定する操作を行えば、検索条件に適合する番組のサーチが開始される。
【００３９】
演算指定３５に含まれる「ＡＮＤ」は、論理積の演算に対応し、２つの条件をともに満足すべきことを指定する。「ＯＲ」は、論理和の演算に対応し、２つの条件のいずれか一方を満足すればよいことを指定する。「ＮＯＴ」は、否定を指定し、これを付した条件に該当しないことで満足する。「（」と「）」とは、優先順位を変えることを指定する。たとえば甲ＡＮＤ乙ＯＲ丙という条件では、一般にＡＮＤを優先するので、甲ＡＮＤ乙を先に演算し、この演算結果に対して丙に対するＯＲ演算を行う。甲ＡＮＤ（乙ＯＲ丙）として「（」と「）」とを使用すれば、乙ＯＲ丙の演算結果を甲に対するＡＮＤ演算の対象とすることができる。
【００４０】
なお、過去に条件を設定した履歴があれば、検索条件履歴３８として矢印記号などが表示される。リモコン１２などで、表示される検索条件履歴３８を指定する操作を行えば、検索条件の履歴がリストで表示される。この検索条件のリストや、ジャンルリスト３６、サービスの種類のリストなどは、一定数、たとえば５に達するまでは全部の表示を行い、一定数を超えると、最新の検索条件や、頻度の高い検索条件を優先的に表示するようにすることができる。下位の検索条件は、矢印をさらに指定する操作などによって、表示させることができる。
【００４１】
図３は、図２でキーワード３４を指定する操作を行ったときの検索条件設定画面４０の例を示す。図２の検索条件設定画面３０に対応する部分には同一の参照符を付し、重複する説明を省略する。条件４１には、５０音リスト４５に表示されるかな文字を１字ずつ指定しながら入力し、たとえばキーワード３４をもう一度指定することによって、「ワールドカップ」や「ウイングスタジアム」のようなカタカナや、「神戸」などの漢字に変換することができる。「ＡＮＤ」、「ＯＲ」、「（」および「）」は、演算指定３５で指定することができる。この条件４１の例では、番組の検索条件として、神戸またはウイングスタジアムのうちの少なくともいずれかを含み、かつワールドカップを含むことを指定している。
【００４２】
図４は、デジタル放送で伝送されるＭＰＥＧ−ＴＳ信号の概要を示す。ＭＰＥＧ−ＴＳ信号は、一定長のパケットで順次送信され、複数のパケットを結合して、前述の番組配列情報ＳＩや、ＰＳＩ（Ｐｒｏｇｒａｍ　Ｓｐｅｃｉｆｉｃ　Ｉｎｆｏｒｍａｔｉｏｎ）などの含まれている番組とその番組を構成しているデータとの関係を示すテーブル情報が含まれている。番組を構成しているデータとしては、映像（ＶＩＤＥＯ　）、音声（ＡＵＤＩＯ　）、データ（ＤＡＴＡ）が含まれる。番組検索は、ＳＩやＰＳＩを利用して実行される。このようなバケットの種別は、ヘッダに含まれる識別情報によって行われる。
【００４３】
図５は、１つの放送局から放送されるデジタル放送で、ＴＳに含まれる情報の例を示す。ＴＳには、サービスＩＤ５０、サービス情報５１，番組情報５２、番組詳細情報５３および個々の番組データ５４，５５，５６が含まれる。サービスＩＤ５０では、たとえばＩＤ番号１００，１０１，１０２，…で示される番組が多重化されて放送されていることを示す。サービス情報５１では、サービスＩＤ番号１０１のサービスは音声と映像とで提供されることを示す。番組情報５２では、提供される番組のリストを示す。番組詳細情報５３では、個々の番組についてのジャンル、タイトル、開始時刻などの詳細情報を示す。個々の番組データ５４，５５，５６は、ＩＤ番号１００，１０１，１０２で指定される番組のデータがそれぞれ提供される。
【００４４】
図６は、図２や図３で設定される検索条件を、ＲＡＭ２３などのメモリに蓄積した後、番組検索として、メモリから検索条件を読み出して行う番組サーチの実行手順の概要を示す。ステップａ０から番組サーチを開始し、ステップａ１では、図１のチューナ４であるチューナ部に受信する放送波の周波数を、たとえば周波数帯の一番低い周波数に設定する。ステップａ２では、受信した放送波中のＴＳの１つのサービスについて、ＳＩやＰＳＩなどのデータからジャンル情報などの検索条件の対象となる情報を取得する。ステップａ３では、視聴者であるユーザが指定したジャンルが取得したジャンル情報に存在するか否かを判断する。存在すると判断するときは、ステップａ４で受信したサービスを一定時間スピーカ１０やディスプレイ１１から提示する。ステップａ４での提示後、またはステップａ３でジャンル情報に指定したジャンルが存在しないと判断するときは、ステップａ５に移る。
【００４５】
ステップａ５では、このＴＳに他のサービスがあるか否かを判断する。他のサービスがあると判断するときは、ステップａ２に戻り、他のサービスについての判断を繰返す。ステップａ５で他のサービスがないと判断するときは、ステップａ６でまだ受信していない周波数があるか否かを判断する。まだ受信していない周波数があると判断するときは、ステップａ７で、チューナ部に設定する周波数を、たとえば順次高い方に設定し、ステップａ１に戻る。ステップａ６でまだ受信していない周波数はないと判断するときは、ステップａ８で番組サーチを終了する。
【００４６】
すなわち本実施形態の番組サーチは、デジタル放送が行われている周波数帯をチューナ４で順次周波数を変えながら受信し、ＭＰＥＧ−ＴＳ信号に含まれるＥＰＧ情報を検出して行われる。デジタル放送受信装置１は、番組とともに、当該番組の内容を案内する番組案内情報が放送されるデジタル放送を受信する装置であって、放送中のデジタル放送を受信する放送受信手段としての受信機３と、放送受信手段が受信する番組案内情報に基づいて、該番組案内情報によって案内される番組が予め設定される検索条件に適合するか否かを判断する条件判断手段として、また条件判断手段によって番組が検索条件に適合すると判断されるデジタル放送の受信を続け、番組が検索条件に適合すると判断されないデジタル放送は受信を停止し、異なるデジタル放送を受信するように受信手段を制御して、番組の検索を行う番組検索手段として機能するＣＰＵ２１を含む。
【００４７】
放送中のデジタル放送を受信すると、受信する番組案内情報に基づいて、案内される番組が予め設定される検索条件に適合するか否かを判断する。番組が検索条件に適合すると判断されるデジタル放送の受信を続け、番組が検索条件に適合すると判断されないデジタル放送は受信を停止し、異なるデジタル放送を受信するように番組の検索を行うので、放送されている番組の全部ではなく、予め設定されている検索条件に適合する番組のみ受信するように、受信する番組を絞ることができ、効率的な番組サーチを実現することができる。
【００４８】
図２や図３に示すような条件を入力する操作を受ける条件入力手段としては、図１に示すリモコン１２を用いることができる。入力される条件を判断する検索条件として設定する条件設定手段としては、ＣＰＵ２１が機能する。検索条件を、視聴者が入力することができ、視聴者が条件を入力すれば、検索条件として設定されるので、視聴者は自由に番組サーチ機能のための検索条件を入力することができ、試聴したい番組を迅速に検索することができる。
【００４９】
また図２に示すように、予め用意されている複数の条件のリストから条件を選択する入力を受けることが可能であり、リモコン１２などによる操作を受けて選択される条件を、検索条件として設定するので、視聴者による条件の入力操作を簡単にすることができる。また複数の条件の入力が可能であり、かつこれら条件の論理演算、たとえば入力される条件を否定するＮＯＴ、入力される複数の条件のうちの少なくとも１つに該当すればよいことを示すＯＲ、または入力される複数の複数の条件の全部に該当することを要するＡＮＤのうちの少なくとも１つ、あるいは組合せの演算を指定することが可能であり、入力される条件に、演算が指定されれば、指定された演算を施して、検索条件として設定するので、視聴者の希望する条件での番組の検索を効率的に行うことができる。
【００５０】
また条件として、番組のジャンルや、映像、音声、データおよび臨時を含むサービスの種類を指定可能であるので、ジャンルや、サービスの種類についての検索条件を設定し、視聴者の要望に沿って番組の検索を行うことができる。
【００５１】
また番組のサーチは、臨時をサービスの種類毎に、番組の検索を行うこともできる。たとえばある周波数で取得されるＴＳについて、１つのサービスの種類、たとえばＴＶ放送についてサーチを行った後、周波数を変更し、同様のサーチを行う。受信することができる全ての周波数のＴＳについて同様のサーチを行った後、再度ある周波数で取得することができるＴＳについて、先ほどとは異なるサービスの種類、たとえばラジオ放送についてサーチを行い、以下同様に全てのサービスの種類のサーチが終了するまで継続する。サービスの種類毎に、設定条件に基づく番組の検索が行われるので、複数のサービスで提供される番組が設定条件に適合していれば、同一種類のサービス間で比較しながら番組の選択を行うことができる。
【００５２】
また、番組名、出演者名または番組詳細情報の少なくともいずれかについてのキーワードを入力可能であり、入力されるキーワードを含む番組を受信するように検索条件を設定するので、視聴者は試聴したい番組を選択するためにキーワードを入力し、入力されたキーワードを番組名、出演者名または番組詳細情報の少なくともいずれかに含むような番組を検索することができる。
【００５３】
図７は、番組のサーチ中に視聴者であるユーザによってサーチ一時停止の指示を可能にする手順を示す。この指示がなされると、番組サーチを一時中断し、そのときに提示していたサービスをユーザにさらに長時間提示する。また、番組サーチの一時停止中に、番組サーチ再開の指示をユーザから受けると、先ほどの番組サーチシーケンスの途中から、番組サーチを再開する。また、番組サーチ中、一時停止中に番組サーチ停止の指示をユーザから受けると、番組サーチを終了する。
【００５４】
すなわち、ステップｂ０から手順を開始し、ステップｂ４までは、基本的に図６のステップａ０からステップａ４までの各ステップと同様である。ステップｂ４でサービスを提示した後、一定時間の経過であるタイムアウト、またはサーチ一時停止やサーチ終了要求がユーザによって指示されるのを待つ。一時停止要求があると、ステップｂ６に移行し、サーチ一時停止解除またはサーチ終了要求待ちを行う。一時停止解除の指示があると、ステップｂ７に移行する。ステップｂ５でタイムアウトになるときも、ステップｂ７に移行する。ステップｂ７では、図６のステップａ５と同様に、このＴＳに他のサービスがあるか否かを判断する。他のサービスがあるときは、ステップｂ２に戻る。ステップｂ７で他のサービスがないと判断するときは、ステップｂ８でまだ受信していない周波数があるか否かを判断し、あると判断するときは、ステップｂ９でチューナ部に設定する周波数を変更して、ステップｂ１に戻る。ステップｂ８で周波数がないと判断するとき、ステップｂ５またはステップｂ６でサーチ終了要求があるときは、ステップｂ１０で番組サーチを終了する。
【００５５】
図８は、番組サーチ中の画面とサービス提示中の画面とを示す。図７のステップｂ４で一時的に提示したり、ステップｂ６で提示するのはサービス提示中画面である。
【００５６】
図１のＣＰＵ２１は、番組の検索を実行中に、番組の試聴の要求を入力可能な要求入力手段と、番組の試聴の要求が入力されるとき、番組検索手段を制御して番組の検索を停止し、前記放送受信手段を制御して番組の試聴用の受信を行う制御手段としても機能する。番組の検索を実行中に、番組の試聴を要求すれば、番組の検索を停止し、番組の試聴用の受信を行うので、番組検索の途中で、検索条件を満たす番組を実際に試聴してみることができる。
【００５７】
また試聴を中止して番組の検索を再開することも可能であり、番組の検索を再開する要求が入力されるとき、番組の検索を停止した状態から、番組の検索を再開させることができるので、試聴をした番組まで検索を繰返さないで、新たな番組について検索を進めることができる。
【００５８】
図９は、前述のようにして蓄積した検索条件を、図２の検索画面３０に表示している状態を示す。検索条件履歴３８が表示され、これを指定する操作を行うと、検索条件履歴リスト６０が表示される。この検索条件履歴リストから１つの検索条件を指定すれば、設定条件を迅速に指定することができる。検索条件を蓄積するメモリとしては、ハードディスクやフラッシュメモリなどの不揮発性のメモリを、検索条件を保存する条件保存手段として使用することが好ましい。検索条件は条件保存手段に保存するので、保存された検索条件で番組検索をしたり、保存された検索条件を変更して番組検索をしたりすることができる。
【００５９】
なお、以上の説明では、ＭＰＥＧ−ＴＳ信号として多重化された番組が提供されるデジタル放送の受信を対象としているけれども、ＤＡＢのようなデジタル放送に本発明を同様に適用することができるのはもちろんである。
【００６０】
【発明の効果】
以上のように本発明によれば、番組とともに、当該番組の内容を案内する番組案内情報が放送されるデジタル放送を受信する際に、番組案内情報に基づいて、番組が予め設定される検索条件に適合するか否かを判断し、検索条件に適合すると判断されるデジタル放送の受信を続け、番組が検索条件に適合すると判断されないデジタル放送は受信を停止し、異なるデジタル放送を受信するように番組の検索を行う。放送されている番組の全部ではなく、予め設定されてる検索条件に適合する番組のみ受信するように、受信する番組を絞ることができ、効率的な番組検索を実現することができる。
【００６１】
また本発明によれば、視聴者が条件を入力すれば、条件設定手段によって検索条件として設定されるので、試聴したい番組を迅速に検索することができる。
【００６２】
また本発明によれば、視聴者は、条件入力手段に入力する条件を、予め用意されている複数の条件のリストから選択することが可能となるので、視聴者による条件の入力操作を簡単にすることができる。試聴したいサービスの種類や名称等が判らない場合でも、リストから選択することによって、適切な条件を入力することができる。
【００６３】
また本発明によれば、視聴者が条件入力手段に入力する条件の否定ＮＯＴや、複数の条件についてのＯＲやＡＮＤなど、指定された演算を含む検索条件を設定して番組を検索するので、視聴者の希望する条件での番組の検索を効率的に行うことができる。複数の条件を組合わせることで、さらに詳しい条件指定が可能になる。また、検索条件を指定し、また複数の条件を組合わせることで、番組検索の効率が上がり、試聴したい番組をすぐに探すことが可能になる。
【００６４】
また本発明によれば、番組のジャンルを検索条件として指定し、視聴者の要望に沿って番組の検索を行うことができる。
【００６５】
また本発明によれば、デジタル放送に含まれる映像、音声、データおよび臨時のサービスの種類を条件として指定し、視聴者の要望に沿って番組の検索を行うことができる。
【００６６】
また本発明によれば、デジタル放送に含まれる映像、音声、データおよび臨時のサービスの種類毎に、設定条件に基づく番組の検索が行われるので、同一種類のサービス間で比較しながら番組の選択を行うことができる。番組検索で、テレビジョン放送、ラジオ放送、データ放送などのサービスの種類が異なる番組が交互に提示されると、画面表示に一貫性がなく、試聴したい番組を探すのに支障をきたす場合がある。まず全てのテレビジョン放送を検索し、その後に全てのラジオ放送を検索するというように、サービスの種類毎に検索を行うと、番組内容の把握をしやすく、試聴したい番組の検索を円滑に行うことができる。
【００６７】
また本発明によれば、条件入力手段には、番組名、出演者名または番組詳細情報の少なくともいずれかについてのキーワードを入力可能であるので、視聴者は条件のリストにない歌手名や出演者、対戦チーム名など、さらに詳しい条件指定を行い、そのようなキーワードに基づく番組検索を行うことができる。
【００６８】
また本発明によれば、番組検索手段によって番組の検索を実行中に、番組の試聴を要求すれば、番組の検索を停止し、番組の試聴用の受信を行うことができるので、番組検索で行われる一定の提示期間内では、たとえばＣＭ中などで、本当に試聴したい番組であるか否かが判らない場合でも、しばらくそのサービスを試聴することで、番組内容を把握することができる。
【００６９】
また本発明によれば、番組検索の途中で番組の試聴を行っても、確認された番組内容が試聴したい番組でないと判明しても、番組検索を途中からやり直すことで、検索効率を上げることができる。
【００７０】
また本発明によれば、保存された検索条件で番組検索をしたり、保存された検索条件を変更して番組検索をしたりすることができる。
【００７１】
また本発明によれば、保存されている検索条件で番組の検索を行うことができるので、以前に番組検索を行ったのと同じ条件で番組検索を行う場合に、その条件設定の履歴を用いることで、わずらわしい設定を再度行わなくてもよくなり、試聴したい番組の検索を速く行えるようにすることができる。
【図面の簡単な説明】
【図１】本発明の実施の一形態であるデジタル放送受信装置１の概略的な電気的構成を示すブロック図である。
【図２】図１のデジタル放送受信装置１で表示される検索条件設定画面の例を示す図である。
【図３】図１のデジタル放送受信装置１で表示される検索条件設定画面の例を示す図である。
【図４】デジタル放送で伝送されるＭＰＥＧ−ＴＳ信号の概略的な構成を示す図である。
【図５】デジタル放送で伝送されるＴＳの内容を示す図である。
【図６】図１のデジタル放送受信機の番組サーチ動作の手順を示すフローチャートである。
【図７】図１のデジタル放送受信機の番組サーチ動作の手順を示すフローチャートである。
【図８】図７の動作中の画面を示す図である。
【図９】図１のデジタル放送受信装置１で表示される検索条件設定画面の例を示す図である。
【符号の説明】
１　デジタル放送受信装置
３　受信機
４　チューナ
５　復調
６　ＴＳデコード
７　音声デコード
８　映像デコード
９　提示処理
１０　スピーカ
１１　ディスプレイ
１２　リモコン
２１　ＣＰＵ
２２　ＲＯＭ
２３　ＲＡＭ
３０，４０　検索条件設定画面
３１，４１　条件
３２　ジャンル
３３　サービス種類
３４　キーワード
３５　演算指定
３６　ジャンルリスト
３７　サーチ開始
５０　サービスＩＤ
６０　検索条件履歴リスト
【図１】
2004135169.tif 000003
【図２】
2004135169.tif 000004
【図３】
2004135169.tif 000005
【図４】
2004135169.tif 000006
【図５】
2004135169.tif 000007
【図６】
2004135169.tif 000008
【図７】
2004135169.tif 000009
【図８】
2004135169.tif 000010
【図９】
2004135169.tif 000011